(57)【要約】【課題】現在、脱石油、温暖化防止が世界中で叫ばれている。我が国に於いても原油が高騰し、エネルギー危機である。水力、風力、ソーラー、燃料電池、原子力があるが原子力以外はどれも一長一短ある。原子力は安定しているが万が一の自己があればチエルノブイリの二の舞になり大きな災害が出る。【解決手段】水車の水を循環させて利用する事により安定した電力を得る事ができる水力原動機。【選択図】図７
2010156303.tif 000002
【特許請求の範囲】
【請求項１】
スプリングやテコ、おもり、ゴム、弓矢、勾配を利用し、水を跳ね上げて元の位置に戻し、循環させる事で長時間水車を回転させ、発電出来る水力原動機。
【請求項２】
弓の中心に穴を明けて矢を通し、より正確に上に突き上げる弓。
【請求項３】
矢の上にスプリングをつけて、より強く当てるようにした矢。
【請求項４】
おもりの下に座堀りをし、安定させて少しの揺れでも転がらないようにした、おもりケース。
【請求項５】
矢を定められた範囲の中でより高く突き上げる為に作った追い上げ用みぞ。
【請求項６】
弓のつるを引く為に、弓用フックが、かかり易く、しかも放ち易くした弓用フック受け。
【請求項７】
突き上げ台キャスターを、元に戻り易くする為の勾配がついた突き上げ台用斜め板
【発明の詳細な説明】
【技術分野】
【０００１】本発明は水を循環させて長時間、水車を回転させる原動機に関する。な揺れに耐える
【背景技術】
【０００２】従来の水力原動機には水力発電がある。【０００３】図１２により従来の水力発電について説明する。
【非特許文献１】「図解雑学、よくわかる、電気のしくみ」電気技術研究会著  発行所株式会社ナツメ社
【発明の開示】
【発明が解決しようとする課題】
【０００４】水力発電にあっては、上流のダムを作るにに莫大な資金と工期がかかる。【０００５】また、環境に対しての影響や、地元の同意を得るのが大変である。【０００６】また、降雨の状態により発電に影響が出る。【０００７】また、現在は発電した後の水は、夜間にポンプアップをして再び上流に上げて利用するので夜間電力と言えども大量の電力を消費する。【０００８】本発明はこのような従来の構成が有していた問題を、解決しようとするものであり、水源の状態の影響を受けず又、エネルギーを使わずに長時間発電する事を目的とするものである。
【課題を解決するための手段】
【０００９】本発明は上記目的を達成するために、流した水を貯めると、重さで下に下がり、おもりが転がって弓矢が発射され、受水タンクが突き上げられて、元の水タンクに戻り、これにより水車が長時間回転し、また水車の回転軸にダイナモを繋げば発電できる原動機を基本的特徴とする。
【発明の効果】
【００１０】本発明の水力原動機は、おもりの転がる力と、弓矢の力で水を元に戻す事が出来るのでエネルギーが要らない。【００１１】水車に使う水は、雨水、井戸水、水道、川、海水等が利用出来て極めて安価に」供給出来る。【００１２】輸入や、採掘、輸入しなくてもよく、電線も少なくて済み、電柱も不要になる。【００１３】物質を燃やしたり、排出しないので、極めて環境に良い。【００１４】火災や爆発、漏れによる事故も無い。【００１５】水が循環する際に、こぼれたり、蒸発したりするが、定期的に補水を行えば良いのでメンテナンスが楽である。
【発明を実施するための最良の形態】
【００１６】以下、本発明の実施の形態を図１〜図１１に基づいて説明する。【００１７】図１は水を流し、水車を回転させる部材の斜視図である。【００１８】水タンク台３に排水ホース２が付いている１水タンクが入る。【００１９】又、水車用ボルト１０は４軸受け台に乗った６軸受けで挟まれて、７ナット、８ワッシャ、５水車、８ワッシャ、９スプリングワッシャ、７ナット、９スプリングワッシャがある。【００２０】又、ナット７で軸受け６を締め付ける。【００２１】さらに、水車用タンク１１に１２水車用ホースが取り付けられている。【００２２】図２は、水を受けて、おもりを動かせる部材の斜視図である。【００２３】タンク受け１５の上に受水タンク１４が有り、１３ホース安定パイプが１６ホース安定パイプ位置に取り付けられる。【００２４】又１７跳ね上げ台には１８跳ね上げ台受けとエル金具１９、エル金具固定ビス１９Ａ、８８固定枠や８９補助ゴム受けが有り、跳ね上げ台固定金具３０は３１跳ね上げ台固定金具ビスで３３おもりケース固定金具に取り付けられる。【００２５】又、２２おもりケースには、おもり２０を置く為の２１座ほりがあり、２３おもり棒を通す為の３３Ａのおもり棒通し穴が明けられている。【００２６】又、その下には２８おもりケース蝶番が取り付けられ、２９おもりケース蝶番ビスにより３５突き上げ台の３４突き上げ台蝶番位置に取り付けられる。【００２７】
【００２８】又、３５突き上げ台には３６突き上げ台蝶番があり、３８突き上げ台固定ビス穴が、３７突き上げ台固定ビスにより４０突き上げ台キャスターの３９突き上げ台固定ビス位置に取り付けられる。【００２９】又、４１はキャスター用フックで、４２は降下補助おもりである。【００３０】４３の突き上げ台用ななめ板の上にサイドレール４４があり、４５サイドレール固定ビスで留められる。【００３１】図３は貯めた水を跳ね上げる為の部材の斜視図である。【００３２】スライドキャスター４６は４７スライドキャスター用ワイヤーで５５弓用フックに繋がれている。【００３３】又、４８スライド台には４９矢用補助穴が明けられており、スライド台用サイドレール５０が５１のスライド台用固定ビスで留められている。【００３４】５２の弓用フックシャフトには９０シャフト穴が明けられ、５３弓用フックシャフト受け固定ビスで５４弓用フックシャフト受け固定ビス穴に留められる。【００３５】又、弓用フック５５には５６弓用フックシャフトが通り、両端には５７弓用フックスナップピンが有り、下部には６０弓用フックスプリング取り付け穴に５８弓用フックスプリングが取り付けられており、その先端には５９弓用フックスプリング固定ビスで留められる。【００３６】又、弓取り付け台６１には６２弓が有り、６４つるが張られ矢６３が通る９１上部穴が、明けられており、下部には７０下部穴が有り、６５取り付け台用ビスで固定される。【００３７】さらに、矢６３には先端に６８矢用スプリング台があり、６９矢用スプリングが取り付けられており、５５弓用フックで６７弓用フック受けを下に引き、７０下部穴に来て放たれば、矢６３は６６追い上げ用みぞの長さだけ、上に突き上げられる。【００３８】図４は４０突き上げ台キャスターを引き上げる為の部材を拡大した斜視図である。【００３９】７１引き上げ用フレームに７２引き上げ用フレームボルトが通り、その中に滑車が有り、７５引き上げようフレームゴムが通される。【００４０】図５は１４受水タンクを、より強く跳ね上げる為の部材の斜視図である。【００４１】７７補助ゴム用柱に７８補助ゴム用柱取り付け穴が明けられ、７９補助ゴム取り付けビスでフレーム８０や水タンク台３に取り付けられ、７６補助ゴムと８９補助ゴム受けで繋がれる。【００４２】図６は、フレーム８０の斜視図である。【００４３】図７は、水力原動機の全体の斜視図である。【００４４】水タンク１に入っている８１水は２の排水ホースを通り、５の水車を回し１２の水車用ホースを通り１４受水タンクに溜まる。【００４５】この溜まった水の重さと３２跳ね上げ台おもりの重さで下に下がり、それにより２０おもりが前に転がり２３おもり棒を押し、先のおもり棒ナット２４が４６のスライドキャスターを押し、４７のスライドキャスター用ワイヤーが５５弓用フックを引き、６７弓用フック受けを下に押し下げる。【００４６】これにより弓の、つる６４は下に引かれ、６３矢の下部は７０下部穴に入り、この頃に矢６３は６７弓用フック受けから外れ上に飛び上がる。【００４７】飛び上がった矢６３は６６追い上げようみぞの分だけ上に突き上がり６８矢用スプリング台は６９矢用スプリング共に３５突き上げ台を押し上げる。【００４８】同時に７７補助ゴム用柱にある７６補助ゴムは１４受水タンクを跳ね上げて、水タンク１に水を入れる。【００４９】図８は弓６２と矢６３、弓の取り付け台６１の拡大図である。【００５０】図９の（Ａ）は水タンク１から水を流している側面図である。【００５１】水タンク１の水８１は２排水ホースを通り５水車を回し、１２水車用ホースを通り、１４受水タンクに入る。【００５２】図９の（Ｂ）は１４受水タンクに水が溜まり、それにより各部が動く様子の順番を（ア）〜（カ）で表している側面図である。【００５３】図１０の（Ｃ）は１４受水タンクの水を６２の弓と６３矢が（キ）の様に動き、３５突き上げ台を（ク）の様に跳ね上げて１４受水タンクの水８１が水タンク１に移されている側面図である。【００５４】図１０の（Ｄ）は１４受水タンクの水を１水タンクに移すと４０突き上げ台キャスターは４３突き上げ台用斜め板の勾配により後ろに下がり定位置に戻っている側面図である。【００５５】図１１は矢印の方向へ強風が吹いて、焚き火が山へ燃え移っているのを男性がバケツで消している図であるが、本出願の水を跳ね上げる発想のヒントを示す図だある。【００５６】焚き火８６をしていた８２男性が強風により８３山火事になったので８４バケツを跳ね上げて中の水８５を山に向かって、かけており８７は飛ばされた帽子である。【００５７】図１２は非特許文献１はダムで貯めた水を放流して発電している図である。【００５８】以上のように本実施形態によれば環境に優しく、安定した電力を提供するものである
【図面の簡単な説明】寸法、形状の比例関係は、分かりやすくするために誇張して描いており、又、左右同じ箇所や、重複する説明は省略している。
【図１】本発明の水タンクや水車の部材の斜視図である。
【図２】同じく、水を貯めておもりを下げる部材の斜視図である。
【図３】同じく、貯めた水を跳ね上げる部材の斜視図である。
【図４】同じく、突き上げ台キャスターを引き上げる部材の斜視図である。
【図５】同じく、受水タンクを、より強く跳ね上げる為の部材の斜視図である。
【図６】同じく、フレーム８０の全体を表す斜視図である。
【図７】同じく、水力原動機の全体の斜視図である。
【図８】同じく、弓と矢、弓の取り付け台の斜視図である。
【図９】同じく、受水タンクを定位置から下に下げた側面図である。
【図１０】同じく、受水タンクを跳ね上げてから元の定位置にもどした側面図である。
【図１１】同じく、男性がバケツで水を跳ね上げている図である。
【図１２】非特許文献１で水力発電の図である。
【符号の説明】
【００５９】１    水タンク
２    排水ホース
３    水タンク台
４    軸受け台
５    水車
６    軸受け
７    ナット
８    ワッシャ
９    スプリングワッシャ
１０    水車用ボルト
１１    水車用タンク
１２    水車用ホース
１３    ホース安定パイプ
１４    受水タンク
１５    タンク受け
１６    ホース安定パイプ位置
１７    跳ね上げ台
１８    跳ね上げ台受け
１９    エル金具
１９Ａ  エル金具固定ビス
２０    おもり
２１    座ほり
２２    おもりケース
２３    おもり棒
２４    おもり棒ナット
２５    おもり受け
２６    おもり棒あな
２７    おもり棒もどし
２８    おもりケース蝶番
２９    おもりケース蝶番ビス
３０    跳ね上げ台固定金具」
３１    跳ね上げ台固定金具ビス
３２    跳ね上げ台おもり
３３    おもりケース固定金具
３３Ａ  おもり棒通し穴
３４    突き上げ台蝶番位置
３５    突き上げ台
３６    突き上げ台蝶番
３７    突き上げ台固定ビス
３８    突き上げ台固定ビス穴
３９    突き上げ台固定ビス位置
４０    突き上げ台キャスター
４１    キャスター用フック
４２    降下補助おもり
４３    突き上げ台用ななめ板
４４    サイドレール
４５    サイドレール固定ビス
４６    スライドキャスター
４７    スライドキャスター用ワイヤー
４８    スライド台
４９    矢用補助穴
５０    スライド台用サイドレール
５１    スライド台用固定ビス
５２    弓用フックシャフト受け
５３    弓用フックシャフト受け固定ビス
５４    弓用フックシャフト受け固定ビス穴
５５    弓用フック
５６    弓用フックシャフト
５７    弓用フックスナップピン
５８    弓用フックスプリング
５９    弓用フックスプリング固定ビス
６０    弓用フックスプリング取り付け穴
６１    弓取り付け台
６２    弓
６３    矢
６４    つる
６５    取り付け台用ビス
６６    追い上げ用みぞ
６７    弓用フック受け
６８    矢用スプリング台
６９    矢用スプリング
７０    下部あな
７１    引き上げ用フレーム
７２    引き上げ用フレームボルト
７３    滑車
７４    引き上げ用フレームナット
７５    引き上げ用フレームゴム
７６    補助ゴム
７７    補助ゴム用柱
７８    補助ゴム用柱取り付け穴
７９    補助ゴム取り付けビス
８０    フレーム
８１    水
８２    男性
８３    山火事
８４    バケツ
８５    中の水
８６    焚き火
８７    跳ね上げた水
８８    固定枠
８９    補助ゴム受け
９０    シャフト穴
９１    上部あな
９２    ダム湖の水
９３    水車
９４    発電機
９５    変電所
９６    送電用鉄塔
９７    工場
【図１】
2010156303.tif 000003
【図２】
2010156303.tif 000004
【図３】
2010156303.tif 000005
【図４】
2010156303.tif 000006
【図５】
2010156303.tif 000007
【図６】
2010156303.tif 000008
【図７】
2010156303.tif 000009
【図８】
2010156303.tif 000010
【図９】
2010156303.tif 000011
【図１０】
2010156303.tif 000012
【図１１】
2010156303.tif 000013
【図１２】
2010156303.tif 000014